(57)【要約】【課題】原稿を記録紙に印刷した場合に、原稿の文字が再現されないことをユーザに事前に知らせることができる画像形成装置を提供する。【解決手段】設定部３０は、原稿の画像データから原稿に含まれる文字を示す文字画像を抽出し、抽出した文字画像において、１文字ごとに外接矩形Ｋ１を設定して１文字ごとに文字領域を設定する。変倍処理部４０は、情報取得部２０により取得された縮小率で文字領域を縮小する。報知部６０は、判定部５０において、サイズが閾値以下である文字領域の個数が規定値以上存在すると判定された場合、画像データを記録紙に印刷したとき、原稿に含まれる文字が再現されない可能性があることを報知する。【選択図】図２
2008113291.tif 000002
【特許請求の範囲】
【請求項１】
原稿の画像データを取得する画像データ取得手段と、
前記画像データの縮小率又は解像度を指定するための変倍情報を取得する情報取得手段と、
前記画像データから前記原稿に含まれる文字を示す文字画像を抽出し、抽出した文字画像を囲む文字領域を設定する設定手段と、
前記情報取得手段により取得された変倍情報に従って、前記文字領域を縮小する又は前記文字領域の解像度を変更する変倍処理を前記文字領域に実行する変倍処理手段と、
前記変倍処理手段により変倍処理が実行された文字領域のサイズが、閾値以下であるか否かを判定する判定手段と、
前記判定手段により文字領域のサイズが文字の再現性を判定するために予め定められた閾値以下と判定された場合、前記画像データを記録紙に印刷したとき、前記原稿に含まれる文字が再現されない可能性があることを報知する報知手段とを備えることを特徴とする画像形成装置。
【請求項２】
前記変倍処理手段は、前記報知手段により前記原稿に含まれる文字が再現されない可能性があることが報知される場合において、前記情報取得手段により変倍情報が再度取得された場合、再度取得された変倍情報で前記画像データに変倍処理を実行し、
前記変倍処理手段により変倍処理された画像データを記録紙に印刷する印刷手段を更に備えることを特徴とする請求項１記載の画像形成装置。
【請求項３】
前記変倍処理手段は、前記報知手段により前記原稿に含まれる文字が再現されない可能性があることが報知される場合において、前記情報取得手段により変倍情報が再度取得されない場合、前記情報取得手段により先に取得されている変倍情報で画像データに変倍処理を実行することを特徴とする請求項２記載の画像形成装置。
【請求項４】
前記設定手段は、１文字ごとに文字領域を設定し、
前記変倍処理手段は、各文字領域に変倍処理を実行し、
前記判定手段は、各文字領域のサイズが閾値以下であるか否かを判定し、
前記報知手段は、前記判定手段において、サイズが前記閾値以下である文字領域の個数が規定値以上存在すると判定された場合、前記原稿に含まれる文字が再現されない可能性があることを報知することを特徴とする請求項１〜３のいずれかに記載の画像形成装置。
【発明の詳細な説明】
【技術分野】
【０００１】
本発明は、複写機、デジタル複合機、スキャナ、及びファクシミリ装置等の画像形成装置に関するものである。
【背景技術】
【０００２】
近年、画像形成装置においては、読み取り対象となる原稿を縮小して印刷することが頻繁に行われているが、縮小率によっては原稿に含まれる文字がつぶれて印刷される可能性がある。
【０００３】
ところで、特許文献１には、撮像した画像に含まれる文字をデジタル的に拡大した場合に見やすく表示することを目的として、撮像した画像データに含まれる文字パターンを抽出し、抽出した文字パターンを標準文字パターンと順次比較して、最も似ている標準文字パターンに対応する文字を画像データに含まれる文字として認識して、認識した文字を表示部に表示する文字表示装置が開示されている。
【０００４】
また、特許文献２には、画像データから文字を抽出する文字認識装置が開示されている。更に、特許文献３には、手書きによる文字を認識する文字認識装置において、予め指定された枠内に文字を記入させなくとも、手書きによる文字を認識することができる文字認識装置が開示されている。
【特許文献１】特開２００４−５５３５号公報
【特許文献２】特開２００５−８４１５７号公報
【特許文献３】特開２００３−２８８５４５号公報
【発明の開示】
【発明が解決しようとする課題】
【０００５】
しかしながら、特許文献１〜３のいずれにも、原稿を読み取ることで得られた画像データを縮小した場合に、文字が再現されないことに関する記載が何らなされておらず、縮小した画像データを記録紙に印刷した場合に、文字がつぶれてしまい、文字が再現されないという問題が発生する。
【０００６】
本発明の目的は、原稿を記録紙に印刷した場合に、原稿の文字が再現されないことをユーザに事前に知らせることができる画像形成装置を提供することである。
【課題を解決するための手段】
【０００７】
本発明による画像形成装置は、原稿の画像データを取得する画像データ取得手段と、前記画像データの縮小率又は解像度を指定するための変倍情報を取得する情報取得手段と、前記画像データから前記原稿に含まれる文字を示す文字画像を抽出し、抽出した文字画像を囲む文字領域を設定する設定手段と、前記情報取得手段により取得された変倍情報に従って、前記文字領域を縮小する又は前記文字領域の解像度を変更する変倍処理を前記文字領域に実行する変倍処理手段と、前記変倍処理手段により変倍処理が実行された文字領域のサイズが、文字の再現性を判定するために予め定められた閾値以下であるか否かを判定する判定手段と、前記判定手段により文字領域のサイズが閾値以下と判定された場合、前記画像データを記録紙に印刷したとき、前記原稿に含まれる文字が再現されない可能性があることを報知する報知手段とを備えることを特徴とする（請求項１）。
【０００８】
この構成によれば、原稿の縮小率又は解像度を指定するための変倍情報が取得され、原稿の画像データから原稿に含まれる文字を示す文字画像が抽出され、抽出された文字画像を囲む文字領域が設定され、情報取得手段により取得された変倍情報で文字領域が変倍処理され、変倍処理された文字領域のサイズが、文字の再現性を判定するために予め定められた閾値以下であるか否かが判定される。そして、文字領域のサイズが閾値以下と判定された場合、画像データを記録紙に印刷したとき、原稿に含まれる文字が再現されない可能性があることが報知される。そのため、原稿を記録紙に印刷した場合に、原稿の文字が再現されないことをユーザに事前に知らせることができる。
【０００９】
また、前記変倍処理手段は、前記報知手段により前記原稿に含まれる文字が再現されない可能性があることが報知される場合において、前記情報取得手段により変倍情報が再度取得された場合、再度取得された変倍情報で前記画像データに変倍処理を実行し、前記変倍処理手段により変倍処理された画像データを記録紙に印刷する印刷手段を更に備えることが好ましい（請求項２）。
【００１０】
この構成によれば、報知手段により原稿に含まれる文字が再現されない可能性があることが報知される場合において、情報取得手段により変倍情報が再度取得された場合、再度取得された変倍情報で画像データが変倍処理され、変倍処理された画像データが記録紙に印刷される。そのため、ユーザは、文字が再現されるような変倍情報を再度入力することで、記録紙において原稿の文字がつぶれて印刷されることを回避することができる。
【００１１】
また、前記変倍処理手段は、前記報知手段により前記原稿に含まれる文字が再現されない可能性があることが報知される場合において、前記情報取得手段により変倍情報が再度取得されない場合、前記情報取得手段により先に取得されている変倍情報で画像データに変倍処理を実行することが好ましい（請求項３）。
【００１２】
この構成によれば、報知手段により原稿に含まれる文字が再現されない可能性があることが報知される場合において、情報取得手段により変倍情報が再度取得されない場合、情報取得手段において先に取得されている変倍情報で画像データが変倍処理される。そのため、記録紙において原稿の文字がつぶれて印刷されていてもかまわないと考えるユーザの要望に応じることができる。
【００１３】
また、前記設定手段は、１文字ごとに文字領域を設定し、前記変倍処理手段は、各文字領域に変倍処理を実行し、前記判定手段は、各文字領域のサイズが閾値以下であるか否かを判定し、前記報知手段は、前記判定手段において、サイズが前記閾値以下である文字領域の個数が規定値以上存在すると判定された場合、前記原稿に含まれる文字が再現されない可能性があることを報知することが好ましい（請求項４）。
【００１４】
この構成によれば、１文字ごとに文字領域が設定され、各文字領域が変倍処理され、各文字領域のサイズが閾値以下であるか否かが判定され、判定手段において、サイズが閾値以下である文字領域の個数が規定値以上存在すると判定された場合、原稿に含まれる文字が再現されない可能性があることが報知される。そのため、記録紙においてつぶれて印刷される文字が僅かしかない場合に、原稿に含まれる文字が再現されない可能性があることを報知することが回避され、不必要な報知を回避することができる。
【発明の効果】
【００１５】
本発明によれば、縮小した原稿を記録紙に印刷した場合に、原稿の文字が再現されないことをユーザに事前に知らせることができる。
【発明を実施するための最良の形態】
【００１６】
以下、図面を参照しつつ本発明の実施の形態について説明する。図１は、本発明の実施の形態による画像形成装置の機械的構成を主に示す側面概略図である。本実施の形態による画像形成装置は、本体部２００と、本体部２００の左側に配設された用紙後処理部３００と、ユーザが種々の操作指令等を入力するための操作部４００と、本体部２００の上部に配設された原稿読取部５００と、原稿読取部５００の上方に配設された原稿給送部６００とから構成される。
【００１７】
操作部４００は、表示パネル４０１、スタートキー４０２及びテンキー４０３等を備える。表示パネル４０１は、タッチパネルから構成され、種々の操作画像を表示する。スタートキー４０２は、ユーザがコピーを開始する操作指令を入力するために用いられ、テンキー４０３は、印刷部数等を入力するために用いられる。
【００１８】
原稿給送部６００は、原稿載置部６０１、原稿排出部６０２、給紙ローラ６０３、原稿搬送部６０４、及びコンタクトガラス６０５等を備え、原稿読取部５００は、イメージセンサ５０１等を備える。給紙ローラ６０３は、原稿載置部６０１にセットされた原稿を繰り出し、原稿搬送部６０４は、繰り出される原稿を１枚ずつ順にイメージセンサ５０１上に搬送する。
【００１９】
イメージセンサ５０１は搬送される原稿を順次読取り、読取られた原稿は原稿排出部６０２に排出される。また、イメージセンサ５０１は、コンタクトガラス６０５に載置された原稿を読取る場合は、Ａ方向にスライドして原稿を読取る。
【００２０】
本体部２００は、複数の給紙カセット２０１、複数の給紙ローラ２０２、転写ローラ２０３、感光体ドラム２０４、露光装置２０５、現像装置２０６、定着ローラ２０８、排出口２０９、排出トレイ２１０、及び記録紙搬送部２１１等を備える。
【００２１】
感光体ドラム２０４は、矢印方向に回転しながら帯電装置（図示省略）によって一様に帯電される。露光装置２０５は、原稿読取部５００において読取られた原稿の画像データに基づいて生成された変調信号をレーザ光に変換して出力し、感光体ドラム２０４に静電潜像を形成する。現像装置２０６は、現像剤を感光体ドラム２０４に供給してトナー像を形成する。
【００２２】
一方、給紙ローラ２０２は、記録紙が収納された給紙カセット２０１から記録紙を引き出し、記録紙搬送部２１１は、引き出された記録紙を転写ローラ２０３へと搬送する。転写ローラ２０３は、搬送された記録紙に感光体ドラム２０４上のトナー像を転写させる。トナー像が転写された記録紙は、記録紙搬送部２１１により定着ローラ２０８へと搬送され、定着ローラ２０８は、転写されたトナー像を加熱して記録紙に定着させる。その後、記録紙は、記録紙搬送部２１１により排出口２０９へと搬送され用紙後処理部３００に搬入される。また、記録紙は、必要に応じて排出トレイ２１０へも排出される。
【００２３】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２４】
図２は、図１に示す画像形成装置のブロック図を示している。本画像形成装置は、画像データ取得部１０、情報取得部２０、設定部３０、変倍処理部４０、判定部５０、報知部６０、画像メモリ７０、及び印刷部８０を備える。
【００２５】
画像データ取得部１０は、イメージセンサ５０１により構成され、原稿の画像データを取得し、画像メモリ７０に記憶させる。
【００２６】
情報取得部２０は、操作部４００から構成され、画像データ取得部１０により取得される画像データの縮小率を取得する。具体的には、情報取得部２０は、表示パネル４０１に、縮小率を数値入力させるボタンを表示させ、ユーザにこのボタンをタッチさせることで縮小率を取得する。また、情報取得部２０は、報知部６０により原稿に含まれる文字が再現されない可能性があることが報知される場合、縮小率を再度取得する。
【００２７】
設定部３０は、例えば、ＣＰＵから構成され、画像データ取得部１０により取得された画像データから原稿に含まれる文字画像を抽出し、抽出した文字画像を囲む外接矩形を設定し、文字領域を設定する。
【００２８】
ここで、設定部３０は、画像データを構成する各画素において、隣接する画素とのコントラストを算出し、算出したコントラストが文字画像を抽出するために予め定められた値以上である場合、当該画素は文字画像を構成する画素と判定することで、画像データから文字画像を抽出する。
【００２９】
また、設定部３０は、抽出した文字領域において、１文字ごとに外接矩形を設定して１文字ごとに文字領域を設定する。ここで、設定部３０は、例えば特開２００３−２８８５４５号公報の段落［００４６］、［００４７］に記載された手法を用いて１文字ごとに外接矩形を設定して１文字ごとに文字領域を設定する。そのため、文字領域は、文字画像と文字画像の背景画像とを含む矩形状の画像を示すことになる。なお、設定部３０は、１文字ごとに文字領域を設定することに代えて、複数の文字が連続してレイアウトされている場合は、これらの複数の文字の全体に外接矩形を設定して１つの文字領域を設定してもよい。
【００３０】
変倍処理部４０は、例えば、ＣＰＵから構成され、設定部３０により設定された各文字領域を、情報取得部２０により取得された縮小率で縮小する。また、変倍処理部４０は、画像データ取得部１０により取得された画像データを画像メモリ７０から読み出し、読み出した画像データ全体を、情報取得部２０により取得された縮小率で縮小する。
【００３１】
また、変倍処理部４０は、報知部６０により原稿に含まれる文字が再現されない可能性があることが報知される場合において、情報取得部２０により縮小率が再度取得された場合、再度取得された縮小率で画像データを縮小する。
【００３２】
また、変倍処理部４０は、報知部６０により原稿に含まれる文字が再現されない可能性があることが報知される場合において、情報取得部２０により縮小率が再度取得されない場合、情報取得部２０により先に取得されている縮小率で画像データを縮小する。
【００３３】
判定部５０は、例えばＣＰＵから構成され、変倍処理部４０により縮小された文字領域において、サイズが文字の再現性を判定するために予め定められた閾値以下である文字領域の個数が規定値以上存在するか否かを判定する。ここで、規定値としては、閾値以下である文字領域の個数が全ての文字領域の個数に対して一定の割合を示す数値（例えば２０％）を採用することができる。なお、規定値は、ユーザの要望に応じて適宜変更可能にしてもよい。また、規定値として「１」や「２」といった数値を採用してもよい。
【００３４】
報知部６０は、例えばＣＰＵ及び操作部４００から構成され、変倍処理部４０により縮小された文字領域において、サイズが閾値以下である文字領域の個数が規定値以上存在すると判定された場合、画像データを記録紙に印刷したとき、原稿に含まれる文字が再現されない可能性があることを報知する。具体的には、報知部６０は、「現在の設定では文字がつぶれてしまいます。」というような文言を表示パネル４０１に表示させて、ユーザに報知する。
【００３５】
画像メモリ７０は、例えばＲＡＭやハードディスクから構成され、画像データ取得部１０により取得された画像データを記憶する。
【００３６】
印刷部８０は、転写ローラ２０３、感光体ドラム２０４、露光装置２０５、現像装置２０６、及び定着ローラ２０８等から構成され、変倍処理部４０により画像処理が実行された画像データを記録紙に印刷する。
【００３７】
次に、本画像形成装置における動作について、図３に示すフローチャートを用いて説明する。まず、情報取得部２０は、ユーザにより操作部４００が操作され、画像データ取得部１０により取得される画像データの縮小率を取得した場合（ステップＳ１でＹＥＳ）、処理をステップＳ４に進める。一方、情報取得部２０は、ユーザにより操作部４００が操作されず、縮小率を取得しない場合（ステップＳ１でＮＯ）、処理をステップＳ２に進める。
【００３８】
次に、ステップＳ４において、ユーザにより原稿載置部６０１に原稿がセットされ、スタートキー４０２が押されると、画像データ取得部１０は、セットされた原稿を読み取り、原稿の画像データを取得する。なお、ステップＳ２の処理はステップＳ４と同様であるため説明を省略する。
【００３９】
次に、設定部３０は、画像データ取得部１０により取得された画像データから原稿に含まれる文字画像を抽出し、抽出した文字画像に外接矩形を設定し、文字領域を設定する（ステップＳ５）。図４は、本画像形成装置により読み取られる原稿を示した図であり、（ａ）は読み取られる原稿Ｇを示し、（ｂ）は（ａ）に示す原稿の一部を拡大して示した図である。
【００４０】
設定部３０は、原稿Ｇに含まれる各文字画像に外接矩形Ｋ１を設定し、１文字ごとに文字領域を設定する。図４（ｂ）の「大」の文字を例に挙げて説明すると、文字画像は、「大」の文字を表す黒色の部分が該当する。また、文字領域は、外接矩形Ｋ１に含まれる背景部分と、「大」を表す黒色の文字画像とから構成される。なお、外接矩形Ｋ１は、１つの文字に完全に外接するサイズを有するものであってもよいし、図４（ｂ）に示すように、１つの文字に完全に外接するサイズに多少のゆとりを与えたサイズを有するものであってもよい。
【００４１】
次に、変倍処理部４０は、ステップＳ５において設定された文字領域の各々をステップＳ１で取得された縮小率で縮小する（ステップＳ６）。
【００４２】
次に、判定部５０が、ステップＳ６で１文字ごとに設定された文字領域において、サイズが閾値以下である文字領域の個数が規定値以上存在すると判定した場合（ステップＳ７でＹＥＳ）、報知部６０は、表示パネル４０１に、「現在の設定では文字がつぶれてしまいます。」というような文言を表示させる（ステップＳ９）。ここで、閾値が例えば５０であるとすると、図４（ｂ）に示す「大」の文字領域のサイズは、縦×横が４８ドット×４８ドットであり、この文字領域は縦及び横のいずれか一方が閾値以下であるため、サイズが閾値以下の文字領域と判定される。また、図４（ｂ）に示す「早」の文字領域のサイズは、縦×横が６４ドット×６４ドットであり、この文字領域は縦及び横の両方が閾値より大きいため、サイズが閾値より大きな文字領域と判定される。そして、判定部５０は、サイズが閾値以下の文字領域の個数をカウントし、閾値以下の文字領域の個数が規定値以上の場合、報知部６０に文字がつぶれる可能性があることを報知する。
【００４３】
一方、判定部５０は、サイズが閾値以下である文字領域の個数が規定値以上存在しないと判定した場合（ステップＳ７でＮＯ）、処理をステップＳ８に進める。
【００４４】
次に、情報取得部２０は、縮小率を再設定するためにユーザにより入力される縮小率を取得しない場合（ステップＳ１０でＮＯ）、ステップＳ１において取得された縮小率で画像データを縮小し、縮小した画像データを記録紙に印刷する（ステップＳ１３）。一方、情報取得部２０は、縮小率を再設定するためにユーザにより入力される縮小率を取得した場合（ステップＳ１０でＹＥＳ）、処理をステップＳ１２に進める。
【００４５】
ここで、情報取得部２０は、縮小率を再設定することをユーザに促すための操作画像を表示パネル４０１に表示させ、この操作画像をユーザに操作させることで、縮小率を再設定するための縮小率を取得する。具体的には、この操作画像には、現在設定されている縮小率とは異なる縮小率を選択するためのボタンが含まれ、ユーザは、このボタンをタッチすることで、縮小率を再設定する。なお、現在設定されている縮小率よりも高い縮小率を選択するためのボタンとしては、例えば現在設定されている縮小率が５０％であれば、５０％より高く、かつ、文字のつぶれが回避されるような５０％に最も近い縮小率を設定するためのボタンが含まれる。
【００４６】
また、情報取得部２０は、ステップＳ１０において、表示パネル４０１に「現在の縮小率で印刷を続行しますか」と記されたボタンを表示し、このボタンがタッチされたとき、ステップＳ１０でＮＯと判定すればよい。
【００４７】
ステップＳ１２において、変倍処理部４０は、ステップＳ１０において取得された縮小率で原稿の画像データ全体を縮小し、印刷部８０は、変倍処理部４０により縮小された画像データを記録紙に印刷する（ステップＳ１３）。
【００４８】
なお、上記ステップＳ８に示す処理はステップＳ１１に示す処理と同様であるため、説明を省略する。また、上記ステップＳ３に示す処理はステップＳ１１と同様であるため、説明を省略する。
【００４９】
以上説明したように本画像形成装置によれば、情報取得部２０は、原稿の縮小率を取得する。設定部３０は、原稿の画像データから原稿に含まれる文字を示す文字画像を抽出し、抽出した文字画像において、１文字ごとに外接矩形Ｋ１を設定して１文字ごとに文字領域を設定する。変倍処理部４０は、情報取得部２０により取得された縮小率で文字領域を縮小する。判定部５０は、縮小された文字領域のうち、サイズが閾値以下である文字領域の個数が規定値以上存在するか否かを判定する。そして、報知部６０は、サイズが閾値以下である文字領域の個数が規定値以上存在すると判定された場合、画像データを記録紙に印刷したとき、原稿に含まれる文字が再現されない可能性があることを報知する。そのため、原稿を記録紙に印刷した場合に、原稿の文字が再現されないことをユーザに事前に知らせることができる。
【００５０】
また、報知部６０により原稿に含まれる文字が再現されない可能性があることが報知される場合において、情報取得部２０により縮小率が再度取得された場合、再度取得された縮小率で画像データが縮小され、縮小された画像データが記録紙に印刷される。そのため、ユーザは、文字が再現されるような縮小率を再度入力することで、記録紙において原稿の文字がつぶれて印刷されることを回避することができる。
【００５１】
また、報知部６０により原稿に含まれる文字が再現されない可能性があることが報知される場合において、情報取得部２０により縮小率が再度取得されない場合、情報取得部２０において先に取得されている縮小率で画像データが縮小される。そのため、記録紙において原稿の文字がつぶれて印刷されていてもかまわないと考えるユーザの要望に応じることができる。
【００５２】
なお、上記実施の形態では、原稿の画像データを縮小する場合を説明したが、本発明はこれに限定されず、原稿の画像データの解像度を変更する場合にも適用することが可能である。この場合、以下のように画像形成装置を構成すればよい。すなわち、情報取得部２０は、画像データ取得部１０により取得される画像データの解像度を指定するための解像度情報を取得する。ここで、解像度情報は、記録紙に印刷する際の画像データの解像度を示す情報であり、６００ｄｐｉ（ｄｏｔ・ｐｅｒ・ｉｎｃｈ）、２００ｄｐｉといった数値によって表される。そして、情報取得部２０は、表示パネル４０１に、「６００ｄｐｉ」、「３００ｄｐｉ」、「２００ｄｐｉ」と記されたボタンを表示させ、これらのボタンをユーザにタッチさせることで、解像度情報を取得する。
【００５３】
変倍処理部４０は、設定部３０により設定された各文字領域の解像度を、情報取得部２０により取得された解像度情報が示す解像度に変更する。
【００５４】
判定部５０は、変倍処理部４０により解像度が変更された文字領域において、サイズが閾値以下である文字領域の個数が規定値以上存在するか否かを判定する。
【００５５】
報知部６０は、変倍処理部４０により解像度が変更された文字領域において、サイズが閾値以下である文字領域の個数が規定値以上存在すると判定部５０により判定された場合、画像データを記録紙に印刷したとき、原稿に含まれる文字が再現されない可能性があることを報知する。
【図面の簡単な説明】
【００５６】
【図１】本発明の実施の形態による画像形成装置の機械的構成を主に示す側面概略図である。
【図２】図１に示す画像形成装置のブロック図を示している。
【図３】本画像形成装置の動作を示すフローチャートである。
【図４】図４は、本画像形成装置により読み取られる原稿を示した図であり、（ａ）は読み取られる原稿を示し、（ｂ）は（ａ）に示す原稿の一部を拡大して示した図である。
【符号の説明】
【００５７】
１０  画像データ取得部
２０  情報取得部
３０  設定部
４０  変倍処理部
５０  判定部
６０  報知部
７０  画像メモリ
８０  印刷部
【図１】
2008113291.tif 000003
【図２】
2008113291.tif 000004
【図３】
2008113291.tif 000005
【図４】
2008113291.tif 000006